(57)【要約】【課題】作業員が安定した姿勢で作業を行うことができる垂直作業足場を提供する。【解決手段】第１乃至第４の１段目乃至５段目ステップ１２11〜１２14，１２21〜１２24，１２31〜１２34，１２41〜１２44，１２51〜１２54は、足場支柱１１の長手方向に沿って所定の間隔に、かつ、足場支柱１１の下端面から同じ高さに、かつ、足場支柱１１の周方向に沿って等間隔に、足場支柱１１の外周面に取り付けられている。足場板１３は、第１乃至第４の１段目乃至５段目ステップ１２11〜１２14，１２21〜１２24，１２31〜１２34，１２41〜１２44，１２51〜１２54のうちのたとえば第１乃至第４の４段目ステップ１２41〜１２44によって保持されて足場支柱１１に装着される。【選択図】図１
2012180690.tif 000002
【特許請求の範囲】
【請求項１】
架空送電線鉄塔に取り付けて使用するための垂直作業足場（１０）であって、
筒状の足場支柱（１１）と、
該足場支柱の外周面に上方向に折畳み可能に取り付けられた、かつ、各段が少なくとも３本のステップを備えた複数の段に分けられた複数本のステップ（１２11〜１２14，１２21〜１２24，１２31〜１２34，１２41〜１２44，１２51〜１２54）と、
前記各段のステップを上方向に折り畳むと前記足場板を該各段のステップを通して前記足場支柱の長手方向に沿って移動できるように貫通孔が中央部に形成された足場板（１３）と、
前記足場支柱の上端面に取り付けられた、かつ、前記垂直作業足場を架空送電線鉄塔に取り付けるための取付金具（１４）とを具備し、
前記各段のステップが、前記足場支柱の長手方向に沿って所定の間隔に、かつ、該足場支柱の下端面から同じ高さに、かつ、該足場支柱の周方向に沿って等間隔に、該足場支柱の外周面に取り付けられており、
前記足場板が、前記複数の段のステップのうちの任意の１つの段のステップによって保持されて前記足場支柱に装着される、
ことを特徴とする、垂直作業足場。
【請求項２】
前記足場板が、
中央部に半円状切欠きがそれぞれ形成された第１および第２の半円状板（１３ａ1，１３ａ2）と、
該第１および第２の半円状板の前記半円状切欠きを挟んで複数個ずつ設けられた、かつ、該第１および第２の半円状板を折畳み可能に連結させるためのリング状の第１乃至第４のフック（１３ｂ1〜１３ｂ4）と、
を備えることを特徴とする、請求項１記載の垂直作業足場。
【請求項３】
前記足場支柱の最下段のステップと下端面との間の外周面に取り付けられた、かつ、外径が前記足場板の前記半円状切欠きの径よりも大きいリング状のストッパ（１５）をさらに具備することを特徴とする、請求項２記載の垂直作業足場。
【請求項４】
２本の前記垂直作業足場を接続できるように、一方の垂直作業足場の前記足場支柱の上端部と他方の垂直作業足場の前記足場支柱の下端部とが接続管（２１）でボルト留め可能とされていることを特徴とする、請求項１乃至３いずれかに記載の垂直作業足場。
【請求項５】
前記足場支柱に取り付けられた工具等仮置用フック（３１）をさらに具備することを特徴とする、請求項１乃至４いずれかに記載の垂直作業足場。
【発明の詳細な説明】
【技術分野】
【０００１】
本発明は、垂直作業足場に関し、特に、架空送電線鉄塔のジャンパー部の作業を行う際に使用するのに好適な垂直作業足場に関する。
【背景技術】
【０００２】
従来、架空送電線鉄塔のジャンパー部の作業（たとえば、点検作業や停電事故時などにおける系統変更のためのジャンパー開放作業）は、作業員が電線または碍子連に宙乗りしたり塔体から身体を乗り出したりして行っている。また、本来は水平にして使用する緊線用梯子を鉄塔の腕金に垂直に設置し、作業員が緊線用梯子に乗り出すことによって作業をしている。
【０００３】
また、下記の特許文献１には、下端部に足場板を取り付けた足場主柱の上端部に、鉄塔の腕金の水平な腕金主材に引っ掛け可能なフック部を持つ連結部を設けた構成の作業足場が開示されている。
【０００４】
さらに、下記の特許文献２には、所定位置に折り畳み式のステップが設けられるとともに長手方向に回転力伝達可能に連結される筒状の支柱と、この支柱の一端部に一端部が回転力伝達可能に連結されるとともに他端部内面にねじ溝の形成された筒状の調節部材と、この調節部材のねじ溝と螺合されるねじ溝が一端部に形成されるとともに他端部にジャンパー線を引っ掛けるフックが形成されたフック部材と、調節部材に設けられるとともに調節部材とフック部材との螺着によりジャンパー線をフックに押し付けて固定する固定具と、フック部材に一端部が接続されるとともに他端部が調節部材および支柱の内部を挿通して接地端に接続される接地ラインと、支柱の他端部に設けられるとともに鉄塔の腕金に固着される固定部材とを備えたジャンパー線点検用梯子が開示されている。
【先行技術文献】
【特許文献】
【０００５】
【特許文献１】特開２０００−３２４６３２号公報
【特許文献２】実公平０５−０４６６３８号公報
【発明の概要】
【発明が解決しようとする課題】
【０００６】
しかしながら、架空送電線鉄塔のジャンパー部の作業は、作業員が電線または碍子連に宙乗りしたり塔体から身体を乗り出したり緊線用梯子に乗り出したりして行われているため、作業性が非常に悪いという問題がある。
【０００７】
また、緊線用梯子を鉄塔の腕金に垂直に設置し、作業員が緊線用梯子に乗り出すことによって作業する場合には、緊線用梯子は先端に行くほど踏み残が細くなる構造をしているため、その先端まで乗り出して作業する際に作業員が足を置くスペースが非常に狭くなり、また、緊線用梯子を設置する向きが腕金によって決まってしまうといったことなどから、作業員は作業箇所に正対することが困難となり、無理な姿勢での作業を強いられてしまう。さらに、緊線用梯子は、長尺で重量も重いため、特に山間部の架空送電線鉄塔での作業時の持ち運びが不便であるという問題がある。
【０００８】
上記の特許文献１に開示された作業足場は、通称舟型アーム専用の梯子（２本ある腕金の両方にフックを引っ掛ける構造）であるため、箱型アームには使用できず、また、舟型アームの場合でも、２本の腕金の挟み角度の大きさによっては使用できない架空送電線鉄塔があり、さらに、その角度の都合上、ある一点にしか設置できないため、作業し易い位置への設置ができないという問題がある。
【０００９】
上記の特許文献２に開示されたジャンパー線点検用梯子は、垂直梯子内に停電作業用の接地線を内蔵したものであるため、作業時には梯子先端部をジャンパー線に接続することになるが、この場合、梯子先端部とジャンパー線の位置とが同位置になるため、作業員が梯子先端部に立ってジャンパー線の作業（たとえば、ジャンパー線の切り離し）をする際に作業場所が足元になり、作業員は体を折り曲げて無理な姿勢で作業を行うことになるという問題がある。
【００１０】
本発明の目的は、作業員が安定した姿勢で作業を行うことができる垂直作業足場を提供することにある。
【課題を解決するための手段】
【００１１】
本発明の垂直作業足場は、架空送電線鉄塔に取り付けて使用するための垂直作業足場（１０）であって、筒状の足場支柱（１１）と、該足場支柱の外周面に上方向に折畳み可能に取り付けられた、かつ、各段が少なくとも３本のステップを備えた複数の段に分けられた複数本のステップ（１２11〜１２14，１２21〜１２24，１２31〜１２34，１２41〜１２44，１２51〜１２54）と、前記各段のステップを上方向に折り畳むと前記足場板を該各段のステップを通して前記足場支柱の長手方向に沿って移動できるように貫通孔が中央部に形成された足場板（１３）と、前記足場支柱の上端面に取り付けられた、かつ、前記垂直作業足場を架空送電線鉄塔に取り付けるための取付金具（１４）とを具備し、前記各段のステップが、前記足場支柱の長手方向に沿って所定の間隔に、かつ、該足場支柱の下端面から同じ高さに、かつ、該足場支柱の周方向に沿って等間隔に、該足場支柱の外周面に取り付けられており、前記足場板が、前記複数の段のステップのうちの任意の１つの段のステップによって保持されて前記足場支柱に装着されることを特徴とする。
ここで、前記足場板が、中央部に半円状切欠きがそれぞれ形成された第１および第２の半円状板（１３ａ1，１３ａ2）と、該第１および第２の半円状板の前記半円状切欠きを挟んで複数個ずつ設けられた、かつ、該第１および第２の半円状板を折畳み可能に連結させるためのリング状の第１乃至第４のフック（１３ｂ1〜１３ｂ4）とを備えてもよい。
前記足場支柱の最下段のステップと下端面との間の外周面に取り付けられた、かつ、外径が前記足場板の前記半円状切欠きの径よりも大きいリング状のストッパ（１５）をさらに具備してもよい。
２本の前記垂直作業足場を接続できるように、一方の垂直作業足場の前記足場支柱の上端部と他方の垂直作業足場の前記足場支柱の下端部とが接続管（２１）でボルト留め可能とされていてもよい。
前記足場支柱に取り付けられた工具等仮置用フック（３１）をさらに具備してもよい。
【発明の効果】
【００１２】
本発明の垂直作業足場は、以下の効果を奏する。
（１）ステップに昇降ステップ機能および足場板保持機能を備えさせることにより、作業しやすい位置の段のステップに足場板を載せて保持させることができるため、作業員は作業箇所に正対した足場を確保でき安定した姿勢で作業を行うことができるので、作業がし易くなり、能率が向上する。
（２）緊線用梯子に比べて運搬時の労力負担も軽くなる。
【図面の簡単な説明】
【００１３】
【図１】本発明の一実施例による垂直作業足場１０の構成を示す図である。
【図２】図１に示した足場板１３の構成を示す図である。
【図３】図１に示した足場板１３の位置の変更について説明するための図である。
【図４】２本の図１に示した垂直作業足場１０を接続する構成について説明するための図である。
【図５】図１に示した垂直作業足場１０に工具等仮置用フックを取り付けたときの構成を示す図である。
【発明を実施するための形態】
【００１４】
上記の目的を、足場支柱の長手方向に沿って所定の間隔にかつ足場支柱の下端面から同じ高さにかつ足場支柱の周方向に沿って等間隔に各段のステップを足場支柱の外周面に取り付けるとともに、各段のステップを上方向に折り畳むと足場板を各段のステップを通して足場支柱の長手方向に沿って移動できるように足場板の中央部に貫通孔を形成することにより実現した。
【実施例１】
【００１５】
以下、本発明の垂直作業足場の実施例について図面を参照して説明する。
本発明の一実施例による垂直作業足場１０は、図１に示すように、足場支柱１１と、第１乃至第４の１段目乃至５段目ステップ１２11〜１２14，１２21〜１２24，１２31〜１２34，１２41〜１２44，１２51〜１２54（第４の１段目乃至５段目ステップ１２14，１２24，１２34，１２44，１２54は不図示）と、足場板１３と、取付金具１４と、ストッパ１５とを具備する。
【００１６】
ここで、足場支柱１１は、筒状の形状で、長さが２．５ｍ程度のものである。
【００１７】
取付金具１４は、足場支柱１１の上端面に取り付けられており、図１に矢印で示すように横板把持部材を水平方向にスライドさせて腕金主材１の横板を把持するとともに縦板把持部材を垂直方向にスライドさせて腕金主材１の縦板を把持することにより、垂直作業足場１０を架空送電線鉄塔の腕金主材１（Ｌ型構造）に取り付けるためのものである。
このように、取付金具１４により垂直作業足場１０を腕金主材１（片側１本）に取り付ける構造とすることにより、種々のタイプの腕金（舟型、箱型を問わず）にかつ任意の位置（作業員が作業のし易い位置）に垂直作業足場１０を設置することができる。
【００１８】
第１乃至第４の１段目乃至５段目ステップ１２11〜１２14，１２21〜１２24，１２31〜１２34，１２41〜１２44，１２51〜１２54は、昇降用ステップ機能および足場板保持機能を備えたものである。
【００１９】
そのため、第１乃至第４の１段目乃至５段目ステップ１２11〜１２14，１２21〜１２24，１２31〜１２34，１２41〜１２44，１２51〜１２54は、作業員の昇降の容易性と足場板１３を載せたときの安定性（足場板１３を水平に保持できること）とを考慮して４方向使用（４本１組）とされているとともに、足場支柱１１の外周面に足場支柱１１の長手方向に沿って４５〜５０ｃｍ程度の間隔で取り付けられている。
【００２０】
すなわち、第１乃至第４の１段目ステップ１２11〜１２14は、足場支柱１１の上端部の外周面に、足場支柱１１の周方向に沿って９０°の間隔でかつ足場支柱１１の下端面から同じ高さに取り付けられている。
第１乃至第４の２段目ステップ１２21〜１２24は、足場支柱１１の外周面の第１乃至第４の１段目ステップ１２11〜１２14よりも４５〜５０ｃｍ程度下側に、足場支柱１１の周方向に沿って９０°の間隔でかつ足場支柱１１の下端面から同じ高さに取り付けられている。
第１乃至第４の３段目ステップ１２31〜１２34は、足場支柱１１の外周面の第１乃至第４の２段目ステップ１２21〜１２24よりも４５〜５０ｃｍ程度下側に、足場支柱１１の周方向に沿って９０°の間隔でかつ足場支柱１１の下端面から同じ高さに取り付けられている。
第１乃至第４の４段目ステップ１２41〜１２44は、足場支柱１１の外周面の第１乃至第４の３段目ステップ１２31〜１２34よりも４５〜５０ｃｍ程度下側に、足場支柱１１の周方向に沿って９０°の間隔でかつ足場支柱１１の下端面から同じ高さに取り付けられている。
第１乃至第４の５段目ステップ１２51〜１２54は、足場支柱１１の外周面の第１乃至第４の４段目ステップ１２41〜１２44よりも４５〜５０ｃｍ程度下側に、足場支柱１１の周方向に沿って９０°の間隔でかつ足場支柱１１の下端面から同じ高さに取り付けられている。
【００２１】
また、第１の１段目乃至５段目ステップ１２11，１２21，１２31，１２41，１２51は、足場支柱１１の長手方向に沿って一直線上に位置するように取り付けられている。
第２の１段目乃至５段目ステップ１２12，１２22，１２32，１２42，１２52、第３の１段目乃至５段目ステップ１２13，１２23，１２33，１２43，１２53および第４の１段目乃至５段目ステップ１２14，１２24，１２34，１２44，１２54についても同様である。
【００２２】
さらに、第１乃至第４の１段目乃至５段目ステップ１２11〜１２14，１２21〜１２24，１２31〜１２34，１２41〜１２44，１２51〜１２54は、運搬時や作業時に邪魔にならないように、また、後述するように足場板１３を足場支柱１１の長手方向に沿って移動できるように、ステップ部が上方向に折畳み可能に取付部材によって支持されて足場支柱１１の外周面に取り付けられている（図３の第１乃至第４の４段目ステップ１２41〜１２44参照）。
【００２３】
足場板１３は、金属製で、直径が９０ｃｍ程度のものである。
足場板１３は、フックで折畳み可能に連結（合体）させる２分割構造とするために、図２に示すように、第１および第２の半円状板１３ａ1，１３ａ2と、リング状の第１乃至第４のフック１３ｂ1〜１３ｂ4とを備える。
【００２４】
第１および第２の半円状板１３ａ1，１３ａ2の中央部には、半径が１５ｃｍ程度の半円状切欠きが形成されている。
これにより、第１および第２の半円状板１３ａ1，１３ａ2を広げたときに半円状切欠きによって足場板１３の中央部に円形状の貫通孔が形成されるため、第１乃至第４の１段目乃至５段目ステップ１２11〜１２14，１２21〜１２24，１２31〜１２34，１２41〜１２44，１２51〜１２54のステップ部を上方向に折り畳めば、第１乃至第４の１段目乃至５段目ステップ１２11〜１２14，１２21〜１２24，１２31〜１２34，１２41〜１２44，１２51〜１２54を足場板１３のこの貫通孔を通すことができるので、足場板１３を足場支柱１１に取り付けたまま足場支柱１１の長手方向に沿って移動させることができる。
その結果、作業員が垂直作業足場１０に乗り出したのちにたとえば図１に示すように第１乃至第４の４段目ステップ１２41〜１４44に載せた足場板１３を第１乃至第４の５段目ステップ１２51〜１４54に載せ替えたい場合には、図３に示すように、足場板１３を持ち上げたのちに第１乃至第４の４段目ステップ１２41〜１４44のステップ部を上方向に折り畳めば、同図に白抜き矢印で示すように足場板１３を第１乃至第４の４段目ステップ１２41〜１４44を通して下げていくだけで第１乃至第４の５段目ステップ１２51〜１４54に載せ替えることができる。
【００２５】
第１乃至第４のフック１３ｂ1〜１３ｂ4は、足場板１３の第１および第２の半円状板１３ａ1，１３ａ2を折り畳み可能に連結させて、運搬時には第１および第２の半円状板１３ａ1，１３ａ2を折り畳むことができるとともに、作業時は第１および第２の半円状板１３ａ1，１３ａ2を広げることができるようにするためのものである。
【００２６】
そのため、第１乃至第４のフック１３ｂ1〜１３ｂ4は、リング状をしており、足場板１３の第１および第２の半円状板１３ａ1，１３ａ2の半円状切欠きを挟んで２個ずつ設けられている。
また、足場板１３の第１および第２の半円状板１３ａ1，１３ａ2には、第１乃至第４のフック１３ｂ1〜１３ｂ4を通すための貫通孔が形成されており、第１および第２の半円状板１３ａ1，１３ａ2は第１乃至第４のフック１３ｂ1〜１３ｂ4に沿って逆向きに回転させれば折り畳んだり広げたりできるようにされている。
【００２７】
ストッパ１５は、外径が足場板１３の半円状切欠きの径よりも大きいリング状の部材からなり、足場支柱１１の第１乃至第４の５段目ステップ１２51〜１４54と下端面との間の外周面に取り付けられている。
これにより、足場板１３が何らかの理由により第１乃至第４の１段目乃至５段目ステップ１２11〜１２14，１２21〜１２24，１２31〜１２34，１２41〜１２44，１２51〜１２54から外れても、ストッパ１５によって足場板１３を受け止めて、足場板１３が地上に落下するのを防止することができる。
【００２８】
以上のように構成された垂直作業足場１０を用いることにより、作業員は第１乃至第４の１段目乃至５段目ステップ１２11〜１２14，１２21〜１２24，１２31〜１２34，１２41〜１２44，１２51〜１２54のいずれかに足場板１３を載せて装着することができるため、作業員の胸から腰にかけて力の入り易い位置で作業を行うことが可能となる。
【００２９】
なお、大型の架空送電線鉄塔で使用する場合など１本の垂直作業足場１０では長さが足りない場合には、取付金具１４を足場支柱１１に取外し可能に取り付ける構造にして、一方の足場支柱１１の取付金具１４を取り外したのち、図４に示すように第１および第２のボルト２２1，２２2と第１および第２のナット２３1，２３2とを用いて一方の足場支柱１１の上端部と他方の足場支柱１１の下端部とを接続管２１でボルト留めすることにより、２本の垂直作業足場１０を接続できるようにすればよい。
【００３０】
また、作業時に工具袋や各種工具を仮置きすることができるようにするために、図５に示すように、工具等仮置用フック３１をたとえば第１の２段目および３段目ステップ１２21，１２31の間に取り付けるようにしてもよい。
【００３１】
さらに、第１乃至第４の１段目乃至５段目ステップ１２11〜１２14，１２21〜１２24，１２31〜１２34，１２41〜１２44，１２51〜１２54は、作業員の昇降の容易性と足場板１３を載せたときの安定性とを考慮して４方向使用（４本１組。すなわち、各段のステップの数＝４）としたが、３方向使用（３本１組。すなわち、各段のステップの数＝３）としてもよい。
【符号の説明】
【００３２】
１  腕金主材
１０  垂直作業足場
１１  足場支柱
１２11〜１２14，１２21〜１２24，１２31〜１２34，１２41〜１２44，１２51〜１２54  第１乃至第４の１段目乃至５段目ステップ
１３  足場板
１４  取付金具
１５  ストッパ
２１  接続管
２２1，２２2  第１および第２のボルト
２３1，２３2  第１および第２のナット
３１  工具等仮置用フック
【図１】
2012180690.tif 000003
【図２】
2012180690.tif 000004
【図３】
2012180690.tif 000005
【図４】
2012180690.tif 000006
【図５】
2012180690.tif 000007